(57)【要約】【課題】外側からの視線に対して玄関ポーチを隠すことができるとともに、玄関ポーチにおいて物を収納しておくことができる建物を提供する。【解決手段】玄関ポーチ１７ｃに、玄関扉１７ｄと対向離間して目隠し壁１９が立設され、この目隠し壁１９の内部に収納部１９ａが設けられ、前記目隠し壁１９の、前記玄関扉１７ｄと対向する部位に、前記収納部１９ａを開閉可能とする扉１９ｂが設けられている。したがって、目隠し壁１９によって外部からの視線に対して玄関ポーチ１７ｃを隠すことができるとともにこの収納部１９ａに物を収納しておくことができる。【選択図】図１
2006233493.tif 000002
【特許請求の範囲】
【請求項１】
玄関ポーチに、玄関扉と対向離間して目隠し壁が立設されており、この目隠し壁の内部には収納部が設けられており、前記目隠し壁の、前記玄関扉と対向する部位に、前記収納部を開閉可能とする扉が設けられていることを特徴とする建物。
【請求項２】
請求項１に記載の建物において、
前記玄関ポーチの上方にバルコニーが設けられており、このバルコニーが前記目隠し壁によって下方から支持されていることを特徴とする建物。
【請求項３】
請求項１または２に記載の建物において、
前記玄関ポーチが平面視において建物の角部に設けられており、
前記目隠し壁の一方の側端部には、第１側壁が目隠し壁と直角に連結されおり、この第１側壁と建物の側壁とが一体的に形成されていることを特徴とする建物。
【請求項４】
請求項３に記載の建物において、
前記目隠し壁の他方の側端部には、第２側壁が目隠し壁と直角に形成されており、この第２側壁と建物の正面壁とが連結されていることを特徴とする建物。
【請求項５】
請求項４に記載の建物において、
前記第１側壁および第２側壁には、それぞれ出入口が形成されていることを特徴とする建物。
【発明の詳細な説明】
【技術分野】
【０００１】
本発明は、住宅等の建物に係り、特に目隠し壁を備えたものに関する。
【背景技術】
【０００２】
住宅等の建物の玄関には、通常、玄関扉を開いたり、複数の来訪者がスムーズに出入りできるよう、屋外側に玄関ポーチと呼ばれるスペースを設けてある。
玄関ポーチを備えた建物の一例として、特許文献１に記載のものが知られている。この特許文献１に記載の建物では、玄関ポーチに荷物の仮置き又は腰掛けが可能なカウンターを設置し、このカウンターに荷物を仮置きすることによって、手がふさがった状態を解消して玄関扉を容易に開けることができる。
また、前記特許文献１には、玄関ポーチに目隠し壁を設け、この目隠し壁の玄関ポーチ側にカウンター設けたものも記載されている。目隠し壁を設けることによって外部からの視線に対してカウンターを隠すことができる。
【特許文献１】特開２００３−１８４１７０号公報
【発明の開示】
【発明が解決しようとする課題】
【０００３】
ところが、上記のような建物では、カウンターに荷物を仮置きできるが、例えば、すぐに使用しないものをカウンターに放置した場合、前記目隠し壁によって外部からはその放置した荷物は見えないが、不意の来客に荷物が見えてしまうという問題がある。
また、玄関やその付近で使用する掃除用具等の道具は、建物内の玄関土間等に設けた収納部に収納したりするが、収納部の分だけ玄関土間のスペースが狭くなるという問題がある。
さらに、住人用や来客用の傘は、玄関土間や、玄関ポーチに置かれた傘立てに収納する場合が多いが、いずれにしても、傘が住人や来客の目につくため好ましくないという問題もある。
【０００４】
本発明は上記事情に鑑みてなされたもので、外側からの視線に対して玄関ポーチを隠すことができるとともに、玄関ポーチにおいて物を収納しておくことができる建物を提供することを課題としている。
【課題を解決するための手段】
【０００５】
上記課題を解決するために、請求項１に記載の発明は、例えば図１〜図４に示すように、玄関ポーチ１７ｃに、玄関扉１７ｄと対向離間して目隠し壁１９が立設されており、この目隠し壁１９の内部には収納部１９ａが設けられており、前記目隠し壁１９の、前記玄関扉１７ｄと対向する部位に、前記収納部１９ａを開閉可能とする扉１９ｂが設けられていることを特徴とする。
【０００６】
目隠し壁１９の内部に収納部１９ａを設ける場合、目隠し壁１９を中空状に形成し、この目隠し壁１９の内部全体を収納部１９ａとしてもよいし、目隠し壁１９の裏面の一部に凹所を形成し、この凹所を収納部としてもよい。
【０００７】
請求項１に記載の発明によれば、玄関ポーチ１７ｃに、玄関扉１７ｄと対向離間して目隠し壁１９が立設されているので、この目隠し壁１９によって外部からの視線に対して玄関ポーチ１７ｃを隠すことができる。
また、目隠し壁１９の内部には収納部１９ａが設けられているので、この収納部１９ａに物を収納しておくことができる。したがって、物が玄関ポーチ１７ｃからも見えることがなく、玄関ポーチ１７ｃを整理整頓でき、また、玄関土間１７ｂ等に収納部を設けない分、玄関土間１７ｂのスペースを広く確保できる。
【０００８】
請求項２に記載の発明は、請求項１に記載の建物において、
前記玄関ポーチ１７ｃの上方にバルコニー２２が設けられており、このバルコニー２２が前記目隠し壁１９によって下方から支持されていることを特徴とする。
【０００９】
バルコニー２２を目隠し壁１９によって支持する場合、バルコニー２２の先端部を支持するのが望ましいが、先端部より若干内側を支持してもよい。
【００１０】
請求項２に記載の発明によれば、目隠し壁１９によってバルコニー２２が下方から支持されているので、玄関ポーチ１７ｃの上方に容易にバルコニー２２を設けることができる。また、目隠し壁１９とバルコニー２２の床と、玄関扉１７ｄを設けた外壁とによってラーメン構造を構成できるので、建物自体の強度を向上させることができる。
【００１１】
請求項３に記載の発明は、請求項１または２に記載の建物において、
前記玄関ポーチ１７ｃが平面視において建物の角部に設けられており、
前記目隠し壁１７ｃの一方の側端部には、第１側壁１９ｃが目隠し壁１９と直角に連結されおり、この第１側壁１９ｃと建物の側壁２０とが一体的に形成されていることを特徴とする。
【００１２】
請求項３に記載の発明によれば、目隠し壁１９と直角に連結された第１側壁１９ｃによって目隠し壁１９を補強でき、さらに、この第１側壁１９ｃと建物の側壁２０とが一体的に形成されているので、第１側壁１９ｃと目隠し壁１９とによって建物を補強することができる。
【００１３】
請求項４に記載の発明は、請求項３に記載の建物において、
前記目隠し壁１９の他方の側端部には、第２側壁１９ｄが目隠し壁と直角に形成されており、この第２側壁１９ｄと建物の正面壁２１とが連結されていることを特徴とする。
【００１４】
請求項４に記載の発明によれば、目隠し壁１９と第１側壁１９ｃと第２側壁１９ｄによって、下方からバルコニー２２を強固に支持できる。また、目隠し壁１９と第１側壁１９ｃと第２側壁１９ｄによって、平面視においてラーメン構造を構成できるので、建物自体の強度を向上させることができる。
【００１５】
請求項５に記載の発明は、請求項４に記載の建物において、
前記第１側壁１９ｃおよび第２側壁１９ｄには、それぞれ出入口１９ｅ，１９ｆが形成されていることを特徴とする。
【００１６】
請求項５に記載の発明によれば、第１側壁１９ｃおよび第２側壁１９ｄに形成された出入口１９ｅ，１９ｆから玄関ポーチ１７ｃに容易に出入りでき、また、この出入口１９ｅ，１９ｆを通して玄関ポーチに採光や通風を確保できる。
【発明の効果】
【００１７】
本発明によれば、玄関ポーチに、玄関扉と対向離間して立設された目隠し壁の内部に収納部が設けられ、前記目隠し壁の、前記玄関扉と対向する部位に、前記収納部を開閉可能とする扉が設けられているので、外部からの視線に対して玄関ポーチを隠すことができるとともに、この収納部に物を収納しておくことができる。したがって、物が玄関ポーチからも見えることがなく、玄関ポーチを整理整頓でき、また、玄関土間等に収納部を設けない分、玄関土間のスペースを広く確保できる。
【発明を実施するための最良の形態】
【００１８】
以下、図面を参照して本発明の建物の実施の形態について説明する。
図１は本発明に係る建物の１階の平面図、図２は２階の平面図、図３は建物の正面図、図４は建物の右側面図である。
本実施の形態の建物は、２階建てであり、周知のパネル工法によって構築されている。なお、パネル工法は、床パネル、壁パネル、屋根パネル等の建築用パネルを予め工場等で製造しておき、これら建築用パネルを現場で基礎上に組み立てることによって建物を構築する工法である。
【００１９】
図１において、符号１はオープン空間を示す。このオープン空間１は、仕切壁のない広い空間であり、中央部に配置された第１空間２と、第１空間２に隣接して配置された第２空間３および第３空間４によって構成されている。
第１空間２は、平面視矩形状に形成されており、居間２ａと台所２ｂとなっている。台所２ｂは西側に配置されており、居間２は台所２ｂの東側に配置されている。また、居間２ａと台所２ｂとは仕切られておらず、台所２ｂはいわゆるオープンキッチンとなっている。
【００２０】
第２空間３および第３空間４は、平面視において、第１空間２の対角部にそれぞれ設けられており、第１空間２より小さくなっている。
第２空間３は平面視矩形状に形成されており、食堂となっている。また、第３空間４は平面視矩形状に形成されており、ホールとなっている。
建物内には図２に示すように１階（下階）から２階（上階）に吹き抜ける吹き抜け部１１，１２が水平方向に離間して設けられている。吹き抜け部１１，１２は平面視においてオープン空間１の対向する部位に設けられており、吹き抜け部１１の下部は前記第２空間３と連通している。つまり、食堂とされた第２空間３の上方は２階の天井まで吹き抜けている。また、吹き抜け部１２の下部は前記第３空間４と連津している。つまり、ホールとされた第３空間４の上方は、２階の天井まで吹き抜けている。そして、この吹き抜け部１２には１階から２階に至るらせん階段１３が設けられている。
【００２１】
さらに、１階においては、北西角部に収納室１４が設けられ、この収納室１４の東側に洗面室１５が設けられている。また、前記オープン空間１の東側には、和室１６が設けられており、この和室１６の南側に玄関１７が設けられている。
玄関１７は、玄関ホール１７ａと、この玄関ホール１７ａより１段下がって設けられた玄関土間１７ｂと、この玄関土間１７ｂとほぼ面一に設けられた玄関ポーチ１７ｃとから構成されている。
玄関土間１７ｂには、シューズクローゼット１８が設けられている。このシューズクローゼット１８の床は、玄関土間１７ｂの床と面一になっている。また、シューズクローゼット１８を開閉する扉１８ａは、両開き式の吊戸となっており、扉１８ａの下端は、床より上方に位置している。したがって、扉１８ａを開けることによって、シューズクローゼット１８に、玄関土間１７ｂからベビーカーなどを転がして直接収納できる。
【００２２】
玄関ポーチ１７ｃの南側には、玄関扉１７ｄと対向離間して目隠し壁１９が立設されている。この目隠し壁１９は玄関ポーチ１７ｃの幅とほぼ等しい幅を有するものであり、中空状に形成されている。目隠し壁１９の内部には、収納部１９ａが設けられており、目隠し壁１９の、前記玄関扉１７ｄと対向する部位に、前記収納部１９ａを開閉可能とする扉１９ｂが設けられている。この扉１９ｂは、引違い式の戸である。この扉１９ｂを開けることによって、玄関ポーチ１７ｃから物を出し入れできるようになっている。
【００２３】
また、玄関ポーチ１７ｃは、平面視において建物の角部（東南の角部）に設けられており、前記目隠し壁１９の一方の側端部には、第１側壁１９ｃが目隠し壁１９と直角に連結されており、この第１側壁１９ｃと建物の側壁２０とが一体的に形成されている。この側壁２０は１階の和室１６の南半分から玄関土間１７ｂにかけて形成されたものであり、その上端部は２階の床より若干上方に位置している。また、側壁２０は２階の東側の外壁や、１階の和室の北半分の外壁より突出している。
前記目隠し壁１９の他方の側端部には、第２側壁１９ｄが目隠し壁１９と直角に形成されており、この第２側壁１９ｄと建物の正面壁２１とが連結されている。
また、第１側壁１９ｃおよび第２側壁１９ｄには、それぞれ出入口１９ｅ，１９ｆが形成されている。
【００２４】
建物の２階には、前記玄関ポーチ１７の上方にルーフバルコニー２２が設けられており、このルーフバルコニー２２の先端部は、前記目隠し壁１９によって下方から支持されている。また、ルーフバルコニー２２の一方の側部は、前記第１側壁１９ｃによって下方から支持されており、ルーフバルコニー２２の他方の側部は、前記第２側壁１９ｄによって下方から支持されている。
【００２５】
また、２階においては、部屋２３，２４，２５が東西に連設して配置されており、部屋２５の南側に前記吹き抜け部１１が設けられ、部屋２４の北側に廊下２６を挟んで前記吹き抜け部１２が設けられている。
また、部屋２３，２４，２５には、それぞれの扉を介して、前記廊下２６に連通しており、扉はそれを閉じた状態においても、扉の下端と床との間の隙間や、扉に設けられた通気孔を介して、部屋２３，２４，２５と廊下２６とで空気が流通可能となっている。
部屋２５の北側には、浴室２７，洗面室２８が設けられており、部屋２３の南側には前記ルーフバルコニー２２が設けられている。
また、吹き抜け部１１の上方には、天窓３６が屋根に設けられており、吹き抜け部１２の上方には、天窓３７が屋根に設けられている。さらに、２階の洗面室２８の上方には天窓３８が屋根に設けられている。これら天窓３６，３７，３８は電動によって開閉できるようになっている。
【００２６】
上記構成の建物では、玄関ポーチ１７ｃに、玄関扉１７ｄと対向離間して目隠し壁１９が立設されているので、この目隠し壁１９によって外部からの視線に対して玄関ポーチ１７ｃを隠すことができる。
また、目隠し壁１９の内部には収納部１９ａが設けられているので、この収納部１９ａに物を収納しておくことができる。したがって、物が玄関ポーチ１７ｃからも見えることがなく、玄関ポーチ１７ｃを整理整頓でき、また、玄関土間１７ｂ等に収納部を設けない分、玄関土間１７ｂのスペースを広く確保できる。
さらに、目隠し壁１９や第１側壁１９ｃ、第２側壁１９ｄによってルーフバルコニー２２が下方から支持されているので、玄関ポーチ１７ｃの上方に容易にルーフバルコニー２２を設けることができる。また、目隠し壁１９とルーフバルコニー２２の床と、玄関扉１７ｄを設けた外壁とによってラーメン構造を構成できるので、建物自体の強度を向上させることができる。
【００２７】
また、目隠し壁１９と直角に連結された第１側壁１９ｃによって目隠し壁１９を補強でき、さらに、この第１側壁１９ｃと建物の側壁２０とが一体的に形成されているので、第１側壁１９ｃと目隠し壁１９とによって建物を補強することができる。
さらに、目隠し壁１９と第１側壁１９ｃと第２側壁１９ｄによって、平面視においてラーメン構造を構成できるので、建物自体の強度を向上させることができる。
また、第１側壁１９ｃおよび第２側壁１９ｄに形成された出入口１９ｅ，１９ｆから玄関ポーチ１７ｃに容易に出入りでき、また、この出入口１９ｅ，１９ｆを通して玄関ポーチに採光や通風を確保できる。
【図面の簡単な説明】
【００２８】
【図１】本発明に係る建物の一例を示すもので、１階の平面図である。
【図２】同、２階の平面図である。
【図３】同、建物の正面図である。
【図４】同、建物の右側面図である。
【符号の説明】
【００２９】
１７  玄関
１７ｃ  玄関ポーチ
１７ｄ  玄関扉
１９ａ  収納部
１９ｂ  扉
１９ｃ  第１側壁
１９ｄ  第２側壁
１９ｅ，１９ｆ  出入口
２０  側壁
２１  正面壁
２２  バルコニー
【図１】
2006233493.tif 000003
【図２】
2006233493.tif 000004
【図３】
2006233493.tif 000005
【図４】
2006233493.tif 000006